(57)【要約】【課題】高い電圧を印加して他の各部位へ誘導電流を増加させることなく、概ね良導絡や壺の位置する部分に電界増強体をおくことによって、必要な人体の部位に最適かつ有効な誘導電流を供給する。【解決手段】被治療者の頭部上方に配設された対向電極を備える電位治療装置において、電界を増強するための電界増強部材３を概ね良導絡や壺の位置する部分に設置する。【選択図】      図１
2005102707.tif 000002
【特許請求の範囲】
【請求項１】
電位治療器と、高電圧発生器とを備える電位治療装置であって、前記電位治療器は、被治療者の頭部上方に配設された対向電極と、足載台電極とを備え、電界を増強するための電界増強部材を概ね良導絡や壺の位置する部分に設置する、ことを特徴とする電位治療装置。
【請求項２】
前記電界増強部材は、導電性の高い導体をガラスやアクリル製誘電体で覆って構成される、ことを特徴とする請求項１記載の電位治療装置。
【請求項３】
被治療者の特定の部位にかかる電界を増強させることにより、この被治療者の特定の部位に生じる誘導電流を制御してなることを特徴とする誘導電流制御方法。
【発明の詳細な説明】
【０００１】
【発明の属する技術分野】
本発明は、人体の表面の部位に高電界を与えて治療を行うための、及び特定の人体部位の電界を増強する機能を備えた電位治療装置及び誘導電流制御方法に関する。
【０００２】
【従来の技術】
一般に電位治療器は、商用交流電源、１００ボルト；５０／６０Ｈｚ，１２０ボルト；５０／６０Ｈｚ、２００又は２２０ボルト；５０／６０Ｈｚ、１１５ボルト；５０／６０Ｈｚに適するように設計されている。トランスを介して昇圧された高電位の電極と対極（天井、壁、装置で設けられた対極）の電位の間に生じる電界に人体を置き、人体の各部位の表面に発生する電界強度に対応した誘導電流を人体に流して治療効果を得ていた。人体を高電位にする電位治療器、人体を高電位にしない電位治療器、対電極を有する電位治療器、又は対電極および対向電極有をしない電位治療器は、高電位の電極と対電極および周囲の壁や天井を対極電極および対向電極にした電位の間に生じる高電界においた人体の体表面近くに発生する電界強度に対応した誘導電流を人体に流して治療効果を得ている。
【０００３】
また、特定の電圧や電位にした電極を人体に近づけ、誘導電極を最適制御する多電極タイプの電位治療器が発明されているが、電極を人体に近づけることは電気的ショックという危険性が伴うし、人体に空間的圧迫を生じさせることになり実用性がない。電極が異なる人体によっては、微妙に位置が異なる良導絡とか鍼灸の壺の位置を狙い高電界を発生させて、そこに誘導電流を生じさせる電位治療器はない。また、壺に鍼を打ちその鍼に電流を流すとか、導電性の良いところを探査して電流発生装置からの導師を触れて電流を流そうとする治療法はある。しかし、いずれも専門家に探索してもらうか、機器を用いて探索している。治療時は、いずれも位置を特定して行うものとなっている。
【０００４】
【発明が解決しようとする課題】
本発明は、上記の欠点を鑑みてなされたもので、本発明の目的は、高い電圧を印加して他の各部位へ誘導電流を増加させることなく、誘導電流を流したい良導絡や壷等を機械や専門家に頼ることなしに、良導絡や壺の位置を特定することもなく、概ね良導絡や壺の位置する部分に電界増強体をおくことによって、必要な人体の部位に最適かつ有効な誘導電流を供給し、一方、流したくない部位にまで多くの誘導電流を流すように電圧を昇圧しないようにするための電位治療装置及び誘導電流制御方法にを提供することにある。
【０００５】
【課題を解決するための手段】
請求項１に係る電位治療装置は、電位治療器と、高電圧発生器とを備え、かつこの電位治療器は、被治療者の頭部上方に配設された対向電極を備え、電界を増強するための電界増強部材を概ね良導絡や壺の位置する部分に設置する、ことを特徴とする。
【０００６】
請求項２に係る電位治療装置は、前記電界増強部材が、導電性の高い導体をガラスやアクリル製誘電体で覆って構成される、ことを特徴とする。
【０００７】
請求項３に係る誘導電流制御方法は、被治療者の特定の部位にかかる電界を増強させることによりこの被治療者の特定の部位に生じる誘導電流を制御してなる、ことを特徴とする。
【０００８】
【発明の実施の形態】
以下、本発明の一実施例である電界増強体を備えた電位治療器を、添付図面を参照して詳述する。
図１において、電位治療装置１は、電位治療器２と、電界を増強するための電界増強部材３と、高電圧発生器４と、商用電源とを備える。電位治療器２は、被治療者６の座る肘掛け７を備える椅子８と、椅子の上端に取付られ、かつ被治療者の頭部上方に配設された対向電極（接地電極）９と、床の上に配設され、かつその上面に被治療者の足が載置される足載台電極１０とを備える。高電圧発生器４は、足載台電極１０に電圧を印加するための高電位を生じる。高電圧発生器４は、通常椅子の座部の下で、かつ４つの足部の間で床上に設置されるか、又は椅子の近傍に設置される。
【０００９】
対向電極（接地電極）９及び足載台電極１０は、絶縁体で囲まれる構造を備える。足載台電極１０は、高電圧発生器４の端子に電気コードで接続される。椅子８は、床との接続位置に絶縁端子１１を備える。同様に足載台電極１０は、床との接続位置に絶縁端子１２を備える。高電圧発生器４は、商用電源の入力端子と、商用電源１００ボルトの電圧を、例えば１５０００ボルトに昇圧するための昇圧トランスと、足載台電極１０に流れる電流を制限するための電流制限抵抗器と、足載台電極１０に電圧を印加するための高電圧出力端子とを備える（いずれも図示せず）。
【００１０】
上述した電位治療器を使用して、高電圧発生器４を駆動して印加電圧により人体の体表面に電界を生じさせ、よって人体の各部位に所定の微少量の誘導電流が流れる。一般に体表面に生じる電界強度と誘導電流は、印加電圧と対向電極や床、壁等によって定まる。そして、誘導電流は、体幹に１０ｍＡ／ｍ２以下になるように調節される。
【００１１】
この電界増強部材３は、導電性の高い導体２０とガラスやアクリル製誘電体２２とを備える。誘電体２２は、被治療者の人表面と導体２０との間に設けられる。誘電体２２は、導体２０を覆って設けられることが好ましい。この電界増強装具３は、被治療者の部位に取付られる。取り付けは、誘電体に接着剤を取付てもよく、またひも等の帯状のもので巻き付けてもよい。この電界増強装具３は、手の合間、首の風池等の、各種の壷に置かれる。この電界増強装具３は、一ヶ所でもよく、又は対に設けてもよい。かくして、被治療者の特定の部位にかかる電界を増強させることにより、被治療者の特定の部位に生じる誘導電流を制御して、最適なドーズ量を制御する。
【００１２】
前記電位治療装置は、上述した椅子型に限らずに、ベッド型であっても同様に実施できるものである。
【００１３】
【発明の効果】
本発明に係る電位治療装置及び誘導電流制御方法によれば、高い電圧を印加して他の各部位へ誘導電流を増加させることなく、誘導電流を流したい良導絡や壷等を機械や専門家に頼ることなしに、良導絡や壺の位置を特定することもなく、概ね良導絡や壺の位置する部分に電界増強体をおくことによって、必要な人体の部位に最適かつ有効な誘導電流を供給し、一方、流したくない部位にまで多くの誘導電流を流すように電圧を昇圧することはない。
【図面の簡単な説明】
【図１】本発明の一実施例である電界増強部材を備えた電位治療器を示す概略図である。
【図２】本発明の電界増強部材を示す概略図である。
【符号の説明】
１      電位治療装置
２      電位治療器
３      電界増強部材
４      高電圧発生器
５      商用電源
６      被治療者
８      椅子
９      対向電極（接地電極）
１０      足載台電極
１１、１２    絶縁端子
２０      導体
２２      誘電体
【図１】
2005102707.tif 000003
【図２】
2005102707.tif 000004